(57)【要約】【課題】  リード装置がハンドラーの手から外れた場合であっても、犬を拘束し続けることができるリード装置の保持具を提供する。【解決手段】  繰り出し、巻き取り可能なリードを有するリード装置１を保持するためのリード装置の保持具１１であって、リード装置１に一端部が着脱自在に取り付けられる伸縮自在な緩衝部１２と、緩衝部１２の他端部に設けられて、緩衝部１２を腕の一部に着脱自在に取り付けるバンド部２１とを有する。緩衝部１２は、伸縮自在なバネ部１３と、バネ部１３の両端部にそれぞれ設けられる取付け部１４、１８とからなり、一方の取付け部１４がリード装置１に着脱自在に取り付けられ、他方の取付け部１８にバンド部２１が取り付けられる。【選択図】図１
2007135557.tif 000002
【特許請求の範囲】
【請求項１】
繰り出し、巻き取り可能なリードを有するリード装置を保持するためのリード装置の保持具であって、
前記リード装置に一端部が着脱自在に取り付けられる伸縮自在な緩衝部と、該緩衝部の他端部に設けられて、該緩衝部を腕の一部に着脱自在に取り付けるバンド部とを有することを特徴とするリード装置の保持具。
【請求項２】
前記緩衝部は、伸縮自在なバネ部と、該バネ部の両端部にそれぞれ設けられる取付け部とからなり、一方の取付け部が前記リード装置に着脱自在に取り付けられ、他方の取付け部に前記バンド部が取り付けられていることを特徴とする請求項１に記載のリード装置の保持具。
【請求項３】
前記両取付け部は、前記バネ部の両端部に回転自在に設けられていることを特徴とする請求項２に記載のリード装置の保持具。
【請求項４】
前記バンド部は、クッション性を有するパッド部と、該パッド部に一体に設けられる締付け部とからなり、前記パッド部を腕の一部に巻回させた状態で前記締付け部により締め付けることにより、前記バンド部が腕の一部に取り付けられることを特徴とする請求項１から３の何れかに記載のリード装置の保持具。
【請求項５】
前記締付け部の一部には、前記パッド部を締め付けた状態に保持する面ファスナが設けられていることを特徴とする請求項４に記載のリード装置の保持具。
【発明の詳細な説明】
【技術分野】
【０００１】  本発明は、犬を拘束するために使用されるリード装置に関し、特に、リード装置がハンドラーの手から外れた場合であっても、リード装置を保持し続けることができる機能を備えたリード装置の保持具に関する。
【背景技術】
【０００２】  犬を拘束するために使用されるリード装置には種々のタイプのものがあり、例えば、帯状のリードと、リードを繰り出し、巻き取り自在に収納するリールとを備えたリード装置が知られている。【０００３】  このようなタイプのリード装置にあっては、リードの先端に設けられているフックを犬の首輪に連結し、リールからのリードの繰り出し量を調整し、リールに設けられている把手をハンドラーが手で握ることにより、犬を拘束した状態で犬とハンドラーとが一体となって散歩等することができるものである（例えば、特許文献１参照。）。
【特許文献１】  特開２００３−３１９７２９公報
【発明の開示】
【発明が解決しようとする課題】
【０００４】  ところで、上記のような構成のリード装置にあっては、ハンドラーは、犬の動きを監視しながら散歩等をすることにより、犬が他の犬や人に飛びついたり、交通事故にあったりするのを防止しているが、犬がハンドラーの予測以外の動きをした場合に、リード装置がハンドラーの手から外れてしまい、犬が暴走して他の犬や人に飛びついたり、交通事故にあったりする等の問題が生じることがある。【０００５】  本発明は、上記のような従来の問題に鑑みなされたものであって、犬がハンドラーの予測以外の動きをとってハンドラーの手からリード装置が外れた場合であっても、犬が暴走するのを確実に抑制することができ、これにより、常にハンドラーと犬とが一体となって散歩等することができるリード装置の保持具を提供することを目的とする。
【課題を解決するための手段】
【０００６】  上記のような課題を解決するために、本発明は、以下のような手段を採用している。
すなわち、請求項１に係る発明は、繰り出し、巻き取り可能なリードを有するリード装置を保持するためのリード装置の保持具であって、前記リード装置に一端部が着脱自在に取り付けられる伸縮自在な緩衝部と、該緩衝部の他端部に設けられて、該緩衝部を腕の一部に着脱自在に取り付けるバンド部とを有することを特徴とする。【０００７】  本発明によるリード装置の保持具によれば、リード装置を手で握り、バンド部を腕の一部に取り付け、リード装置のリードを犬に取り付けることにより、犬を拘束した状態でハンドラーと犬とが一体となって散歩等することができる。
そして、散歩等の最中に犬がハンドラーの予測以外の動きをとってリード装置がハンドラーの手から外れてしまった場合には、バンド部がハンドラーの腕の一部に取り付けられていることから、リード装置を保持し続けることができ、犬が暴走等するのを防止できる。
この場合、緩衝部が伸長することによってハンドラーに作用する衝撃を緩衝させることができるので、犬が暴走等するのを確実に抑制することができるとともに、ハンドラーに過大な荷重が作用するのを防止でき、ハンドラーの安全を確保することができる。【０００８】  請求項２に係る発明は、請求項１に記載のリード装置の保持具であって、前記緩衝部は、伸縮自在なバネ部と、該バネ部の両端部にそれぞれ設けられる取付け部とからなり、一方の取付け部が前記リード装置に着脱自在に取り付けられ、他方の取付け部に前記バンド部が取り付けられていることを特徴とする。【０００９】  本発明によるリード装置の保持具によれば、リード装置がハンドラーの手から外れて犬が暴走しようとした場合に、緩衝部のバネ部が伸長することにより、ハンドラーに作用する荷重が緩衝されることになる。従って、ハンドラーが犬に引きずられて飛び出すようなことはなく、犬の暴走を確実に抑えることができるとともに、ハンドラーの安全を確保することができる。【００１０】  請求項３に係る発明は、請求項２に記載のリード装置の保持具であって、前記両取付け部は、前記バネ部の両端部に回転自在に設けられていることを特徴とする。【００１１】  本発明によるリード装置の保持具によれば、リード装置がハンドラーの手から外れて犬が暴走しようとした場合に、緩衝部のバネ部が伸長することによりハンドラーに作用する緩衝される。また、バネ部の両端部に取付け部が回転自在に設けられていることから、犬が暴走しようとする方向が何れの方向であっても、リード装置に対して取付け部が相対的に回転し、及びバンド部に対して取付け部が相対的に回転することにより、犬の暴走しようとする方向にハンドラーの腕がひねられるのを防止でき、ハンドラーの安全を確保することができる。【００１２】  請求項４に係る発明は、請求項１から３の何れかに記載のリード装置の保持具であって、前記バンド部は、クッション性を有するパッド部と、該パッド部に一体に設けられる締付け部とからなり、前記パッド部を腕の一部に巻回させた状態で前記締付け部により締め付けることにより、前記バンド部が腕の一部に取り付けられることを特徴とする。【００１３】  本発明によるリード装置の保持具によれば、リード装置がハンドラーから外れて犬が暴走しようとした場合に、犬からの荷重を緩衝部のバネ部が伸長することにより緩衝させることができるとともに、パッド部のクッション性によっても緩衝させることができ、ハンドラーの安全を確保することができる。【００１４】  請求項５に係る発明は、請求項４に記載のリード装置の保持具であって、前記締付け部の一部には、前記パッド部を締め付けた状態に保持する面ファスナが設けられていることを特徴とする。【００１５】  本発明によるリード装置の保持具によれば、バンド部を腕の一部の周囲に巻回させ、この状態で締付け部を締め付けるとともに、面ファスナのループ部とフック部とを相互に噛合させることにより、バンド部を締付け部によって締め付けた状態に保持することができるので、バンド部の着脱を容易に行うことができる。
【発明の効果】
【００１６】  以上、説明したように、本発明のリード装置の保持具によれば、リード装置を手で握り、バンド部を腕の一部に取り付け、リード装置のリードを犬に取り付けることにより、犬を拘束した状態でハンドラーと犬とが一体となって散歩等することが可能となる。そして、散歩等の最中に犬がハンドラーの予測以外の動きをしてリード装置がハンドラーの手から外れてしまった場合には、バンド部がハンドラーの腕の一部に取り付けられていることから、犬が暴走するのを抑制することができ、犬が他の犬や人に飛びかかったり、交通事故にあったりするのを防止できる。この場合、緩衝部が伸長することによって犬からの荷重を緩衝させることができるので、ハンドラーが犬に引きずられるのを防止でき、犬の暴走を確実に抑制することができるとともに、過大な荷重がハンドラーに作用するのを防止でき、ハンドラーの安全を確保することができる。
さらに、緩衝部の一方の端部の取付け部がリード装置に対して相対的に回転し、他方の端部の取り付け部バンド部に対して相対的に回転することになるので、犬が暴走しようとする方向が何れの方向であっても、両端部の取付け部が回転することによってハンドラーの腕が犬の暴走方向にひねられるのを防止でき、ハンドラーの安全を確保することができる。
さらに、リード装置がハンドラーから外れて犬が暴走しようとした場合に、犬からの荷重を緩衝部が伸長することによって緩衝させることができるとともに、クッション性を有するバンド部のパッド部によっても緩衝させることができ、ハンドラーの腕に過大な荷重が作用して腕を痛めるのを防止できる。
さらに、バンド部を腕の一部に取り付けるには、バンド部を腕の一部に巻回させて締付け部によって締め付け、面ファスナのループ部とフック部とを相互に噛合させればよいので、バンド部の腕への着脱を容易に行うことができる。
【発明を実施するための最良の形態】
【００１７】  以下、図面に示す本発明の実施の形態について説明する。
図１には、本発明によるリード装置の保持具の一実施の形態が示されていて、このリード装置の保持具１１は、ハンドラーが犬を散歩等させるときに使用されるリール式のリード装置１に適用可能なものであって、リード装置１に着脱自在に取り付けられる緩衝部１２と、緩衝部１２に取り付けられるバンド部２１とを備えている。なお、ここで、「ハンドラー」とは、犬の調教師、犬の飼い主等の人々をいう。【００１８】  リード装置１は、合成樹脂等から形成されるケーシング２と、ケーシング２内に回転自在に設けられるリール（図示せず）と、リールを回転方向の一方向に付勢する付勢部材（図示せず）と、リールの回転を規制するロック機構（図示せず）と、リールの周囲に巻回されるとともに、リールの回転に追従してリールから繰り出され、又はリールに巻き取られる紐状体５と、紐状体５の先端に取り付けられる帯状のリード６と、リード６の先端に設けられるフック７と、ロック機構を作動させ又はロック機構の作動を解除する操作ボタン１０とを備えている。【００１９】  ケーシング２は、内部にリールが回転自在に設けられる本体部３と、本体部３に一体に設けられる把手部４とからなり、把手部４をハンドラーが手で握ることにより、リード装置１の全体を保持することができるように構成されている。【００２０】  ケーシング２の本体部３の把手部４に隣接する部分には操作ボタン１０が突出した状態で設けられ、この操作ボタン１０を操作することにより、ロック機構を作動させたり作動を解除させたりすることができる。【００２１】  操作ボタン１０の操作によってロック機構を作動させることにより、リールの回転が規制されて紐状体５がリールから繰り出し不可能な状態となる。一方、操作ボタン１０の操作によってロック機構の作動を解除することにより、リールの回転が許容されて紐状体５が付勢部材の付勢力に抗してリールから繰り出し可能な状態となる。【００２２】  ロック機構の作動を解除して、紐状体５を付勢部材の付勢力に抗してリールから所定の長さ繰り出し、この状態でロック機構を作動させてリールの回転を規制することにより、紐状体５をリールから所定の長さ繰り出した状態に保持することができ、ケーシング２からリード６の先端までの長さを所定の長さに設定することができる。【００２３】  保持具１１は、一端がリード装置１のケーシング２に取り付けられる緩衝部１２と、緩衝部１２の他端に取り付けられるバンド部２１とから構成され、バンド部２１をハンドラーの腕の一部（例えば、手首）に取り付けることにより、リード装置１のケーシング２とハンドラーの腕との間に介装される。【００２４】  緩衝部１２は、伸縮自在なコイルバネ状のバネ部１３と、バネ部１３の一端部に設けられる第１取付け部１４と、バネ部１３の他端部に設けられる第２取付け部１８とからなり、第１取付け部１４がリード装置１のケーシング２に取り付けられ、第２取付け部１８に後述するバンド部２１が取り付けられている。【００２５】  バネ部１３は、所定のバネ力（伸縮量）を有するコイル状をなすものであって、例えば、樹脂製のコイルバネ、金属製のコイルバネ、金属製のコイルバネの表面に樹脂材をコーティングしたもの等によって構成することが��きる。但し、これらに限らず、所定の伸縮量を有するもの（例えば、市販の各種のダンパー等）であればよい。【００２６】  バネ部１３は、リード装置１によって拘束する犬の力の大きさ（大型犬、中型犬、小型犬）に応じて適宜のバネ力に設定され、このバネ部１３のバネ力によってハンドラーの手に加わる犬からの荷重が緩衝される。【００２７】  第１取付け部１４は、リング状のフック部１５と、フック部１５を回転自在に支持する基部１６とからなり、基部１５を緩衝部１２のバネ部１３一端部に固着手段（かしめ付け等）によって固着させることにより、緩衝部１２のバネ部１３の一端部に取り付けられている。第１取付け部１４とバネ部１３との固着部には樹脂製の安全カバーが被着され、この安全カバーによって固着部がハンドラーの腕等に直接に接触するのを防止している。【００２８】  第１取付け部１４は、フック部１５とリード装置１のケーシング２の把手部４との間に紐状の締結部材１７を挿通させ、この締結部材１７を締結させることにより把手部４に取り付けられる。なお、第１取付け部１４は、ケーシング２の一部に取付け用の孔（図示せず）を設け、この取付け用の孔とフック部１５との間に締結部材１７を挿通させることにより、ケーシング２に取り付けるようにしてもよいし、第１取付け部１４のフック部１５をケーシング２に直接に取り付けるようにしてもよい。要は、第１取付け部１４をケーシング２に取り付けることができる手段であればよい。【００２９】  第２取付け部１８は、リング状のフック部１９と、フック部１９を回転自在に支持する基部２０とからなり、基部２０を緩衝部１２のバネ部１３の他端部に固着手段（かしめ付け等）によって固着させることにより、緩衝部１２のバネ部１３の他端部に取り付けられている。第２取付け部１８とバネ部１３との固着部には樹脂製の安全カバーが被着され、この安全カバーによって固着部がハンドラーの腕等に直接に接触するのを防止している。第２取付け部１８は、フック部１９に挿通させた紐状の締結部材２９を後述するバンド部２１に接合させることにより、バンド部２１に一体に取り付けられている。【００３０】  第１取付け部１４及び第２取付け部１８としては、市販の各種のフックを使用することができる。要は、緩衝部１２のバネ部１３の一端部をケーシング２に回転自在に取り付け、バネ部１３の他端部にバンド部２１を回転自在に取り付けることができるものであればよい。【００３１】  バンド部２１は、帯状のパッド部２２と、パッド部２２の上部に一体に積層される帯状の締付け部２３と、締付け部２３の長手方向の一端部に設けられるリング状のリング部２８と、締付け部２３の長手方向の他端部に設けられる面ファスナ２５とを備えている。【００３２】  パッド部２２は、クッション性を有する素材（ポリウレタンフォーム等）からなる帯状をなすものであって、ハンドラーの腕の一部（手首）の周囲を巻回可能な長さに設定され、このパッド部２２のクッション性によってハンドラーの腕の一部（手首）に作用する荷重が緩衝される。パッド部２２は、帯状のものをそのまま使用してもよいし、幅方向の両端部を同一方向に折り返して、幅方向の両端部に丸みをもたせてもよい。幅方向の両端部を折り返した場合には、折り返した部分の上部に締付け部２３を積層するように構成すればよい。【００３３】  締付け部２３は、合成樹脂から形成される帯状をなすものであって、パッド部２２よりも小幅でかつパッド部２２よりも長い帯状に形成され、パッド部２２の上部に積層された状態で接合手段によって一体に接合されている。接合手段としては、縫製、接着剤等が挙げられ、本実施の形態においては、縫製によって一体に接合している。【００３４】  締付け部２３の長手方向の一端部には、樹脂又は金属から形成されるリング状のリング部２８が取り付けられ、このリング部２８の内側に締付け部２３の長手方向の他端部が挿通可能に構成され、リング部２８の内側を挿通させた締付け部２３の他端部を折り返して締め付けることにより、パッド部２２がハンドラーの腕の手首の周囲に締め付けられ、この締め付けた状態に後述する面ファスナによって保持することができる。【００３５】  面ファスナ２５は、帯状のフック部２６と帯状のループ部２７とからなるものであって、フック部２６が締付け部２３の長手方向の他端部の表面側に接合手段（縫製又は接着剤）によって一体に接合され、ループ部２７が締付け部２３の長手方向の一端部及び他端部を除く表面側に接合手段（縫製又は接着剤）によって一体に接合され、フック部２６とループ部２７とを密着させて互いに噛合させることにより、締付け部２３によってパッド部２２をハンドラーの手首の周囲に巻回させた状態に保持することができる。なお、ループ部２７を締付け部２３の他端部に設け、フック部２６を締付け部２３の一端部及び他端部を除く表面側の部分に設けてもよい。【００３６】  そして、上記のように構成した本実施の形態によるリード装置の保持具１１のバンド部２２を手首の周囲に巻回させて、締付け部２３をリング部２８の内側に通して折り返し、締付け部の表面側の面ファスナ２５のフック部２６とループ部２７とを互いに密着させて噛合させることにより、バンド部２２を手首の周囲を巻回した状態に保持し、この状態でリード装置１のリード６のフック７を犬の首輪に取り付け、リード装置１のケーシング２の把手部４を手で握ることにより、犬をリード装置１によって拘束した状態でハンドラーと犬とが一体となって散歩等することができる。【００３７】  そして、散歩等の最中に犬がハンドラーの予測以外の動きをすること等によってリード装置１の把手部４からハンドラーの手が外れた場合には、保持具１１の緩衝部１２の一端部がリード装置１のケーシング２に取り付けられ、他端部のバンド部２１がハンドラーの手首に取り付けられていることから、保持具１１を介してリード装置１を抑えることができ、犬がハンドラーから離れて暴走するのを防止できる。【００３８】  この場合、バンド部２１とリード装置１との間には、保持具１１の伸縮自在な緩衝部１２が介在しているので、犬が暴走しようとした際の荷重を緩衝部１２のバネ部１３が伸長することによって緩衝させることができるとともに、バンド部のパッド部のクッション性によっても緩衝させることができる。従って、犬の暴走を確実に抑制することができるとともに、犬からの荷重によってハンドラーが手首を痛めるのを防止できる。【００３９】  さらに、緩衝部１２の両端部の第１取付け部１４及び第２取付け部１８により、リード装置１と緩衝部１２とが相対的に回転するのが許容されるとともに、緩衝部１２とバンド部２１とを相対的に回転するのが許容されることになるので、リード装置１がハンドラーの手から外れた場合に、犬が飛び出そうとする方向に応じて緩衝部１２の両端部が回転することになるので、ハンドラーの手首が犬の飛び出そうとする方向にひねられるのを防止でき、犬の暴走を確実に抑制できるとともに、ハンドラーの安全を確保することもできる。【００４０】  なお、前記の説明においては、本発明によるリード装置の保持具１１をリール式のリード装置１に適用した例を示したが、その他の各種のリード装置に適用してもよいものであり、その場合にも同様の作用効果を奏するのは勿論のことである。
【図面の簡単な説明】
【００４１】
【図１】  本発明によるリード装置の保持具の一実施の形態の全体を示した斜視図である。
【符号の説明】
【００４２】  １  リード装置
２  ケーシング
３  本体部
４  把手部
５  紐状体
６  リード
７  フック
８、１５、１９  フック部
９、１６、２０  基部
１０  操作ボタン
１１  保持具
１２  緩衝部
１３  バネ部
１４  第１取付け部
１７  締結部材
１８  第２取付け部
２１  バンド部
２２  パッド部
２３  締付け部
２４  基部
２５  面ファスナ
２６  フック部
２７  かぎ部
２８  リング部
【図１】
2007135557.tif 000003